(57)【要約】【課題】  コンテンツ中において付随情報がないCMの場合にもチャプター設定できる画像処理装置および画像処理装置方法を提供する。【解決手段】  コンテンツを受信する受信部と、前記コンテンツからＣＭを検出するＣＭ検出部と、前記コンテンツの映像から文字データを認識する文字データ認識部と、前記ＣＭ検出部と前記文字データ認識部との出力からＣＭをグルーピングするＣＭグルーピング部とを備えた画像処理装置。また、コンテンツを受信する受信工程と、前記コンテンツからＣＭを検出するＣＭ検出工程と、前記コンテンツの映像から文字データを認識する文字データ認識工程と、前記ＣＭ検出工程と前記文字データ認識工程との結果からＣＭをグルーピングするＣＭグルーピング工程とを含んだ画像処理方法。【選択図】  図３
2014011592.tif 000002
【特許請求の範囲】
【請求項１】
コンテンツを受信する受信部と、
前記コンテンツからＣＭを検出するＣＭ検出部と、
前記コンテンツの映像から文字データを認識する文字データ認識部と、
前記ＣＭ検出部と前記文字データ認識部との出力からＣＭをグルーピングするＣＭグルーピング部とを
備えた画像処理装置。
【請求項２】
更にＣＭグルーピング部の出力に基づいてチャプター設定リストを生成するチャプター設定リスト生成部を備えた請求項１に記載の画像処理装置。
【請求項３】
更に文字データ認識部の出力に基づいて前記コンテンツのフレームをグルーピングするグルーピング部を備え、前記チャプター設定リスト生成部はこのグルーピングに基づいて前記チャプター設定リストを生成する請求項２に記載の画像処理装置。
【請求項４】
更に前記コンテンツの映像から文字列を検出する文字列検出部を備え、前記文字データ認識部はこの文字列検出部の出力に基づいて前記文字データを認識する請求項１に記載の画像処理装置。
【請求項５】
コンテンツを受信する受信工程と、
前記コンテンツからＣＭを検出するＣＭ検出工程と、
前記コンテンツの映像から文字データを認識する文字データ認識工程と、
前記ＣＭ検出工程と前記文字データ認識工程との結果からＣＭをグルーピングするＣＭグルーピング工程とを
含んだ画像処理方法。
【発明の詳細な説明】
【技術分野】
【０００１】
本発明の実施形態は、映像文字情報を利用した画像処理システムに係わる画像処理装置及び画像処理方法に関する。
【背景技術】
【０００２】
連続的に再生される動画コンテンツを再生する際に、テレビ放送の番組途中や番組と番組の間に挟まれて放送されているCM（Commercial Message）は各々のCMの長さが短く、コーナーテロップ等の区切れを示す付随情報はない為、チャプター設定が困難であり、或いは予め、CM情報のみをCM管理サーバに登録してデータベース化しておく必要があった。
【０００３】
より詳しくはまず連続的に再生される動画コンテンツを再生する際に、コンテンツをコーナーテロップ等の区切れを示す付随情報により、グルーピングしてチャプター（シーンや場面ごとの「区切れ」）設定を行い、チャプター設定されたリストにより、コンテンツを再生する方法が検討できる。しかしながら、テレビ放送の番組途中や番組と番組の間に挟まれて放送されているCM（Commercial Message）は各々のCMの長さが短く、コーナーテロップ等の区切れを示す付随情報はない為、チャプター設定は困難である。
【０００４】
また特許文献１では、テレビ放送中のCMに係る情報を記憶し、その情報によってそのCMに係る物品の購入の支援を行うもので、CM管理サーバにあらかじめCM情報を登録しておき、CMの放送開始を検出するとCM管理サーバから取得したそのCMに係る物品の情報を表示するものであり、CMに係る情報をあらかじめCM管理サーバに登録しておく必要があった。
【０００５】
即ち、コーナーテロップ等の区切れを示す付随情報がないCMの場合にもチャプター設定でき、CM管理サーバ等でデータベース化することなく、CMを検索する事が可能となるといった技術への要望があるが、かかる要望を実現するための手段は知られていない。
【先行技術文献】
【特許文献】
【０００６】
【特許文献１】特開２０１１−７１５８１号公報
【発明の概要】
【発明が解決しようとする課題】
【０００７】
本発明の実施の形態は、コンテンツ中において付随情報がないCMの場合にもチャプター設定できる画像処理装置および画像処理装置方法を提供することを目的とする。
【課題を解決するための手段】
【０００８】
上記課題を解決するために、実施形態によれば画像処理装置は、コンテンツを受信する受信部と、前記コンテンツからＣＭを検出するＣＭ検出部と、前記コンテンツの映像から文字データを認識する文字データ認識部と、前記ＣＭ検出部と前記文字データ認識部との出力からＣＭをグルーピングするＣＭグルーピング部とを備える。
【図面の簡単な説明】
【０００９】
【図１】一実施形態にかかる画像処理装置について説明する為の図。
【図２】一実施形態にかかる画像処理装置について説明する為の図。
【図３】一実施形態を示す機能ブロック（システム）構成図。
【図４】同実施形態の制御部を主体とする処理を示すフローチャート。
【図５】図４の処理の一部を説明するために示すフローチャート。
【発明を実施するための形態】
【００１０】
以下、図を参照しながら、一実施形態にかかる画像処理装置、及び画像処理装置の制御方法について詳細に説明する。
【００１１】
図１は、一実施形態にかかる画像処理装置としての放送受信装置１００の例を示す。
【００１２】
放送受信装置１００は、映像を表示するディスプレイ（表示部４００）が設けられる本体と、本体を自立可能な状態で支える脚部とを備える。
【００１３】
また、放送受信装置１００は、放送入力端子１１０、受信部１１１、復元部１１２、通信インターフェース１１４、音声処理部１２１、映像処理部１３１、表示処理部１３３、制御部１５０、操作入力部１６１、カードコネクタ１６４、ＵＳＢコネクタ１６６、ディスクドライブ１７０、ＬＡＮコネクタ１７１、電源制御部１８０、及びストレージ１９０を備える。また、放送受信装置１００は、さらにスピーカ３００及びディスプレイ４００を備える。
【００１４】
放送入力端子１１０は、例えばアンテナ２００により受信されるディジタル放送信号が入力される入力端子である。アンテナ２００は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信する。即ち、放送入力端子１１０には、放送信号により供給される番組などのコンテンツが入力される。
【００１５】
放送入力端子１１０は、受信したディジタル放送信号を受信部１１１に供給する。受信部１１１は、ディジタル放送信号用の受信部である。受信部１１１は、アンテナ２００から供給されるディジタル放送信号のチューニング（選局）を行う。受信部１１１は、チューニングしたディジタル放送信号を復元部１１２に送信する。受信部１１１は、送信入力端子１１０または通信インターフェース１１４から供給される信号がアナログ信号である場合は、ディジタル信号に変換する。
【００１６】
復元部１１２は、受信するディジタル放送信号の復調を行う。さらに、復元部１１２は、復調したディジタル放送信号（コンテンツ）に対して信号処理を施す。これにより、復元部１１２は、ディジタル放送信号から映像信号、音声信号、及びその他のデータ信号を復元する。例えば、復元部１１２は、ディジタル放送信号から映像信号、音声信号、及びその他のデータ信号などが重畳されたトランスポートストリーム（ＴＳ）を復元する。
【００１７】
復元部１１２は、音声処理部１２１に音声信号を供給する。また、復元部１１２は、映像処理部１３１に映像信号を供給する。さらに、復元部信号処理部１１３は、制御部１５０にデータ信号を供給する。即ち、アンテナ２００、受信部１１１、及び復元部１１２は、コンテンツを受信する受信手段として機能する。
【００１８】
通信インターフェース１１４は、例えばＨＤＭＩ（High Definition Multimedia Interface）（登録商標）端子、オーディオ入力端子、Ｓ映像端子、コンポーネント映像端子、Ｄ映像端子、Ｄ−Ｓｕｂ端子、及びＤＶＩ−Ｉ端子などのコンテンツを受信可能なインターフェースのうちのいずれか、または複数を備える。通信インターフェース１１４は、ディジタル映像信号、及びディジタル音声信号などが多重化されたコンテンツを他の機器から受信する。通信インターフェース１１４は、他の機器から受信したディジタル信号（コンテンツ）を受信部１１１に供給する。通信インターフェース１１４は、他の機器から受信したコンテンツを復元部１１２に供給する。即ち、通信インターフェース１１４は、コンテンツを受信する受信手段として機能する。
【００１９】
復元部１１２は、通信インターフェース１１４から受信部１１１経由で供給されたコンテンツに信号処理を施す。例えば、復元部１１２は、ディジタル信号をディジタル映像信号とディジタル音声信号とデータ信号とに分離する。復元部１１２は、音声処理部１２１にディジタル音声信号を供給する。また、復元部１１２は、映像処理部１３１にディジタル映像信号を供給する。さらに、復元部１１２は、制御部１５０にコンテンツに関する他の情報を供給する。
【００２０】
またさらに、復元部１１２は、制御部１５０の制御に基づいてコンテンツを後述するストレージ１９０に供給する。ストレージ１９０は、供給されたコンテンツを記憶する。これにより、放送受信装置１００は、コンテンツを録画することができる。
【００２１】
音声処理部１２１は、復元部１１２から受信したディジタル音声信号を、スピーカ３００により再生可能なフォーマットの信号（オーディオ信号）に変換する。音声処理部１２１は、オーディオ信号をスピーカ３００に供給する。スピーカ３００は、供給されるオーディオ信号に基づいて音を再生する。
【００２２】
映像処理部１３１は、復元部１１２から受信したディジタル映像信号を、ディスプレイ４００で再生可能なフォーマットの映像信号に変換する。即ち、映像処理部１３１は、復元部１１２から受信した映像信号を、ディスプレイ４００で再生可能なフォーマットの映像信号にデコード（再生）する。また、映像処理部１３１は、図示しないＯＳＤ処理部から供給されるＯＳＤ信号を映像信号に重畳する。映像処理部１３１は、映像信号を表示処理部１３３に出力する。
【００２３】
ＯＳＤ処理部は、復元部１１２から供給されるデータ信号、及び／または制御部１５０から供給される制御信号に基づいて、ＧＵＩ（グラフィック  ユーザ  インタフェース）画面、字幕、時刻、または他の情報などを画面に重畳して表示する為のＯＳＤ信号を生成する。ＯＳＤ処理部は、個別にモジュールとして放送受信装置１００内に設けられていてもよいし、制御部１５０の機能として設けられていてもよい。
【００２４】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ４００に供給する。ディスプレイ４００は、供給される映像信号に基づいて映像を表示する。
【００２５】
ディスプレイ４００は、例えば、マトリクス状に配列された複数の画素を備える液晶表示パネルと、この液晶パネルを照明するバックライトとを備える液晶表示装置などを備える。ディスプレイ４００は、放送受信装置１００から供給される映像信号に基づいて映像を表示する。
【００２６】
なお、放送受信装置１００は、ディスプレイ４００の代わりに、映像出力端子を備える構成であってもよい。また、放送受信装置１００は、スピーカ３００の代わりに、音声出力端子を備える構成であってもよい。この場合、放送受信装置１００は、映像出力端子に接続される表示装置に映像信号を出力し、音声出力端子に接続されるスピーカに音声信号を出力する。これにより、放送受信装置１００は、表示装置に映像を表示させ、スピーカから音声を出力させることができる。
【００２７】
制御部１５０は、放送受信装置１００の各部の動作を制御する制御手段として機能する。制御部１５０は、ＣＰＵ１５１、ＲＯＭ１５２、ＲＡＭ１５３、及びＥＥＰＲＯＭ１５４などを備えている。制御部１５０は、操作入力部１６１から供給される操作信号に基づいて、種々の処理を行う。
【００２８】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００２９】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００３０】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３１】
ＥＥＰＲＯＭ１５４は、各種の設定情報、及びプログラムなどを記憶する不揮発性メモリである。
【００３２】
操作入力部１６１は、例えば、操作キー、キーボード、マウス、音声入力装置、タッチパッドまたは操作入力に応じて操作信号を生成する事ができる他の入力装置などを備える。また、操作入力部１６１は、例えば、リモートコントローラからの操作信号を受信するセンサなどを備える構成であってもよい。また、操作入力部１６２は、上記の入力装置とセンサとを備える構成であってもよい。即ち、操作入力部１６１は、操作信号を受け取る操作信号受信手段として機能する。
【００３３】
操作入力部１６１は、入力された操作信号を制御部１５０に供給する。制御部１５０は、操作入力部１６１から供給された操作信号に基づいて、放送受信装置１００に種々の処理を行わせる。
【００３４】
なお、タッチパッドは、静電センサ、サーモセンサ、または他の方式に基づいて位置情報を生成するデバイスを含む。また、放送受信装置１００がディスプレイ４００を備える場合、操作入力部１６１は、ディスプレイ４００と一体に形成されるタッチパネルなどを備える構成であってもよい。
【００３５】
リモートコントローラは、ユーザの操作入力に基づいて操作信号を生成する。リモートコントローラは、生成した操作信号を赤外線通信により操作入力部１６１のセンサに送信する。なお、センサとリモートコントローラとは、電波などの他の無線通信により操作信号の送受信を行う構成であってもよい。
【００３６】
カードコネクタ１６４は、例えば、動画コンテンツを記憶するメモリカード１６５と通信を行う為のインターフェースである。カードコネクタ１６４は、接続されるメモリカード１６５から動画のコンテンツデータを読み出し、制御部１５０に供給する。
【００３７】
ＵＳＢコネクタ１６６は、ＵＳＢ機器１６７と通信を行う為のインターフェースである。ＵＳＢコネクタ１６６は、接続されるＵＳＢ機器１６７から供給される信号を制御部１５０に供給する。
【００３８】
例えば、ＵＳＢ機器１６７がキーボードなどの操作入力機器である場合、ＵＳＢコネクタ１６６は、操作信号をＵＳＢ機器１６７から受け取る。ＵＳＢコネクタ１６６は、受け取った操作信号を制御部１５０に供給する。この場合、制御部１５０は、ＵＳＢコネクタ１６６から供給される操作信号に基づいて種々の処理を実行する。
【００３９】
また、例えば、ＵＳＢ機器１６７が動画のコンテンツデータを記憶する記憶装置である場合、ＵＳＢコネクタ１６６は、コンテンツをＵＳＢ機器１６７から取得することができる。ＵＳＢコネクタ１６６は、取得したコンテンツを制御部１５０に供給する。
【００４０】
ディスクドライブ１７０は、例えば、コンパクトディスク（ＣＤ）、ディジタルバーサタイルディスク（ＤＶＤ）、ブルーレイディスク（Ｂｌｕ−ｒａｙ  Ｄｉｓｋ（登録商標））、または動画のコンテンツデータを記録可能な他の光ディスクＭを装着可能なドライブを有する。ディスクドライブ１７０は、装着される光ディスクＭからコンテンツを読み出し、読み出したコンテンツを制御部１５０に供給する。
【００４１】
ＬＡＮコネクタ１７１は、放送受信装置１００をネットワークに接続する為のインターフェースである。制御部１５０は、ＬＡＮコネクタ１７１がＬＡＮケーブルまたは無線ＬＡＮなどにより公衆回線に接続された場合、ネットワーク経由で種々のデータのダウンロード及びアップロードを行なう事ができる。
【００４２】
電源制御部１８０は、放送受信装置１００の各部への電力の供給を制御する。電源制御部１８０は、例えば、ＡＣアダプタなどを介して商用電源５００などから電力を受け取る。商用電源５００は、交流の電力を電源制御部１８０に供給する。電源制御部１８０は、受け取った交流の電力を直流に変換し各部へ供給する。
【００４３】
また、放送受信装置１００は、さらに他のインターフェースを備えていても良い。インターフェースは、例えば、Ｓｅｒｉａｌ−ＡＴＡなどである。放送受信装置１００は、インターフェースにより接続される機器に記録されているコンテンツを取得し、再生することができる。また、放送受信装置１００は、再生したオーディオ信号及び映像信号を、インターフェースにより接続される機器に出力することが出来る。
【００４４】
また、放送受信装置１００がインターフェースを介してネットワークに接続される場合、放送受信装置１００は、ネットワーク上の動画のコンテンツデータを取得し、再生することができる。
【００４５】
ストレージ１９０は、コンテンツなどを記憶する記憶装置である。ストレージ１９０は、例えば、ハードディスク（ＨＤＤ）、ソリッドステイトドライブ（ＳＳＤ）、または半導体メモリなどの大容量記憶装置を備える。また、ストレージ１９０は、ＵＳＢコネクタ１６６、ＬＡＮコネクタ１７１、通信インターフェース１１４、または他のインターフェースに接続された記憶装置により構成されていてもよい。
【００４６】
上記したように、制御部１５０は、コンテンツを録画する場合、復元部１１２により復調されたコンテンツのデータをストレージ１９０に入力させる。さらに、制御部１５０は、コンテンツを記憶するストレージ１９０内のアドレスをストレージ１９０に指示する。ストレージ１９０は、制御部１５０により指示されたアドレスに復元部１１２から供給されたコンテンツを記憶する。
【００４７】
なお、ストレージ１９０は、ディジタル放送信号から復元されたＴＳを記憶する構成であってもよいし、ＴＳがＡＶＩ、ＭＰＥＧまたは他の圧縮方式により圧縮された圧縮コンテンツを記憶する構成であってもよい。
【００４８】
また、制御部１５０は、ストレージ１９０に記憶されているコンテンツを読み出し、再生させることができる。例えば、制御部１５０は、ストレージ１９０におけるアドレスをストレージ１９０に指示する。ストレージ１９０は、制御部１５０により指示されたアドレスからコンテンツを読み出す。ストレージ１９０は、読み出したコンテンツを音声処理部１２１、映像処理部１３１、及び制御部１５０などに供給する。これにより、放送受信装置１００は、録画したコンテンツを再生することができる。
【００４９】
なお、放送受信装置１００は、受信部１１１及び復元部１１２をそれぞれ複数備える。これにより、放送受信装置１００は、複数のコンテンツを同時に受信し、受信した複数のコンテンツを同時に復元することができる。これにより、放送受信装置１００は、再生可能なコンテンツデータを同時に複数取得することが出来る。即ち、放送受信装置１００は、複数のコンテンツを同時に録画することが出来る。
【００５０】
図２は、制御部１５０の有する機能の例を示す。
【００５１】
図２に示されるように、制御部１５０は、上記のＣＰＵ１５１によりプログラムを実行することにより、種々の機能を実現することが出来る。例えば、制御部１５０は、文字領域抽出部１５１１、文字データ認識部１５１２、誤り訂正部１５１３、キーワード解析部１５１４、及び保存部１５１５を備える。さらに、制御部１５０は、検索部１５２１、リスト表示部１５２２、リスト選択部１５２３、及び再生部１５２４を備える。
【００５２】
図３にシステム機能構成を示す。このシステムは、受信部３１、文字列検出部３２、文字データ認識部３３、グルーピング部３４、CM検出部３５、ＣMグルーピング部３６、チャプター設定リスト生成部３７、保存部３８等から成っている。
【００５３】
受信部３１は受信部１１１に主に対応している。文字列検出部３２は文字領域抽出部１５１１に拠っている。文字データ認識部３３は文字データ認識部１５１２に主に対応している。グルーピング部３４、CM検出部３５、ＣMグルーピング部３６、チャプター設定リスト生成部３７、保存部３８は、制御部１５０の残りの部分に拠って機能している。
【００５４】
受信部３１は動画コンテンツを受信し、画像フレームを１枚ずつ後段の文字列検出部３２に送信する。文字列検出部３２は１つのフレームの中の画像を解析し、文字列の位置情報を検出する。文字データ認識部３３は文字の位置情報を元に、その位置の画像を解析し、文字データを認識する。
【００５５】
グルーピング部３４は文字の位置情報と文字データ情報を元に、過去フレームと同一かどうかを識別し、同じであれば同一グループと判断する。そして所定フレーム間、同じ位置情報、同じ文字データが続いたとき、グループを開始したフレームをチャプターの開始フレーム、文字データをチャプター名とする。
【００５６】
CM検出部３５は受信した動画コンテンツがCMであるかどうかを検出し、CMを検出するとCMグルーピング部３６に処理開始を通知する。CMグルーピング部３６は、文字データ認識部３３で認識した文字データを入力データとして、15秒単位でジャンル推定及び意味クラス解析（文字データの分類）を行い、既にCMチャプターが存在する場合は、同一CMかどうかを判定し、同じであれば同一CM（同一グループ）と判断する。同一CMでないと判断されると、チャプター設定リスト生成部３７にてグループを開始したフレームをチャプターの開始フレーム、文字データをチャプター名とする。
【００５７】
保存部３８は、記憶デバイスとしてHDDなどの大容量記憶装置にコンテンツを保存する。
【００５８】
図４に図３の構成における処理のフローチャートを示す。
【００５９】
CM検出部３５でCMを検出し、CM開始が通知されると、文字データ認識部３３による文字列検出及び文字データ認識処理（ステップＳ２１）で変換された文字データをCMグルーピング処理用の入力データとして（ステップＳ２２）、15秒単位にまとめる（ステップＳ２３）。これはCMが15秒の倍数単位で区切られている為である。また、CM検出はCM開始と終了が検出できるものであればよく、特に規定しない。
【００６０】
この15秒単位でまとめた入力データをCMグルーピング部３６にて処理し、CM終了を検出しなければ入力データを初期化して、再び、15秒単位でCMグルーピング処理用の入力データをまとめる（ステップＳ２４）。CM終了を検出するまでこの処理を繰り返す（ステップＳ２５）。
【００６１】
図５にＣMグルーピング部３６による上記CMグルーピング処理のフローチャートを示す。
【００６２】
このCMグルーピング処理では、15秒単位にまとめた入力データにてジャンル推定及び意味クラス解析（文字データの分類）を行う（ステップＳ３１）。CMが区別できればよく、分類するジャンル及びジャンル数は特に規定しない。既に作成されたCMチャプターがあれば（ステップＳ３２のＹｅｓ）、ジャンルが一致するか、或いはジャンルが類似していれば（ステップＳ３３のＹｅｓ）、同一CMとみなし、既存のCMチャプターに文字データ情報を追加する（ステップＳ３６）。ジャンルが一致或いは類似していなければ（ステップＳ３３のＮｏ）、15秒単位にまとめた入力データの意味クラス（文字データの分類、例えばスポーツ分野に多い言葉など）がある一定以上（閾値）一致していれば（ステップＳ３４のＹｅｓ）、同一CMとみなし、既存のCMチャプターに文字データ情報を追加する（ステップＳ３６）。入力データの意味クラス（文字データの分類）がある一定以上（閾値）一致していなければ（ステップＳ３４のＮｏ）、15秒単位にまとめた入力データがある一定以上（閾値、例えば長さや頻度で）一致していれば（ステップＳ３５のＹｅｓ）、同一CMとみなし、既存のCMチャプターに文字データ情報を追加する（ステップＳ３６）。
【００６３】
このように段階的に同一CMかどうかを判断することで、コーナーテロップ等の区切れが無いCMの場合で区切れを判定する事が可能となる。同一CMと判断されなければ（ステップＳ３５のＮｏ）、異なるCMとし、チャプター設定リスト生成部３７にてグループを開始したフレームをチャプターの開始フレーム、入力データに最も多く含まれた文字データをチャプター名とする（ステップＳ３７）。チャプター名は入力データに最も多く含まれた文字データに限らず、文字の大きさが大きい文字データでもよい。チャプター設定し、リスト化を行うと、CMチャプターを初期化し（ステップＳ３８）、CMグルーピング処理を終了する。なお既に作成されたCMチャプターがなければ（ステップＳ３２のＮｏ）、新規にＣＭチャプターを作成して処理を終了する（ステップＳ３９）。
【００６４】
本実施形態により、コーナーテロップ等の区切れを示す付随情報がないCMの場合にもチャプター設定でき、CM管理サーバ等でデータベース化することなく、動画コンテンツと同じ扱いでCMを検索する事が可能となる。
【００６５】
本実施形態はCMも動画コンテンツと同じ扱いでチャプター設定をリスト化し、CM検索を可能とする方法を構成する。例えば、CMが開始されるとフレーム内の映像文字情報を15秒単位でまとめて、ジャンル推定及び意味クラス解析（文字データの分類）を行い、前後の文字データのジャンル推定結果及び意味クラス解析結果、文字データを段階的に比較して、同じCMかどうかを判断し、CMチャプターを設定する。
【００６６】
なお、この発明は上記実施形態に限定されるものではなく、この外その要旨を逸脱しない範囲で種々変形して実施することができる。
【００６７】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００６８】
１００…放送受信装置、１１０…放送入力端子、１１１…受信部、１１２…復元部、１１４…通信インターフェース、１２１…音声処理部、１３１…映像処理部、１３３…表示処理部、１５０…制御部、１５１…ＣＰＵ、１５２…ＲＯＭ、１５３…ＲＡＭ、１５４…ＥＥＰＲＯＭ、１６１…操作入力部、１６４…カードコネクタ、１６５…メモリカード、１６６…ＵＳＢコネクタ、１６７…ＵＳＢ機器、１７０…ディスクドライブ、１７１…ＬＡＮコネクタ、１８０…電源制御部、１９０…ストレージ、２００…アンテナ、３００…スピーカ、４００…ディスプレイ、５００…商用電源、１５１１…文字領域抽出部、１５１２…文字データ認識部、１５１３…誤り訂正部、１５１４…キーワード解析部、１５１４ａ…キーワード辞書、１５１５…保存部、１５２１…検索部、１５２２…リスト表示部、１５２３…リスト選択部、１５２４…再生部。
【図１】
2014011592.tif 000003
【図２】
2014011592.tif 000004
【図３】
2014011592.tif 000005
【図４】
2014011592.tif 000006
【図５】
2014011592.tif 000007